(57)【特許請求の範囲】
【請求項１】
携帯電話機の本体と、アンテナを該本体に固定するホルダと、該ホルダに装着される基部及び該基部から延びた延長部を有するアンテナ給電用金具とを具備し、該給電用金具を前記ホルダに装着した状態で前記延長部を本体側の給電部に弾発的に接触させ、該給電用金具及びホルダを介してアンテナに給電するように構成し、前記給電金具の基部はリング状で、該リング状基部が装着される前記ホルダの部分は円筒状で、該リング状基部とホルダの円筒状部分との間は、軸方向の設けた突条とこれに嵌合する凹部とで相互に回転を阻止するように構成したことを特徴とする、アンテナ給電構造を有する携帯電話機。
【請求項２】
携帯電話機の本体は樹脂等の絶縁体で形成されたモールドケースから成り、該モールドケースはアンテナ取付穴を有し、前記ホルダは該アンテナ取付穴に回転を阻止するようにモールドケース内側から挿入し、前記アンテナは該アンテナ取付穴にモールドケース外側から挿入して前記ホルダにねじ止めすることにより、アンテナ及びホルダがモールドケースに固定されるように構成したことを特徴とする請求項１に記載の携帯電話機。
【請求項３】
モールドケースのアンテナ取付穴には軸方向の溝が設けられ、該取付穴に挿入されるホルダの部分にレールが設けられ、該レールが前記軸方向の溝に嵌合することにより、モールドケースに対するホルダの回転が阻止されるように構成したことを特徴とする請求項２に記載の携帯電話機。
【請求項４】
アンテナ給電用金具は板ばね材で構成され、軸方向のスリットを有するリング状の基部と、該基部から任意の方向に延びた延長部を有し、該リング状の基部が前記スリットによりホルダに弾発的に装着されることを特徴とする請求項１に記載の携帯電話機。
【請求項５】
リング状の基部が装着されるホルダの部分は円筒部と、少なくとも１つの軸方向の突条からなり、前記リング状の基部は該突条に嵌合する凹部を有し、ホルダに対する給電用金具の回転を阻止するように構成したことを特徴とする請求項４に記載の携帯電話機。
【請求項６】
本体側の給電部は、該本体内部の所定位置に固定されたプリント基板の電源供給用のランドからなり、アンテナ給電用金具の延長部の先端には凸形の折り返し部が設けられ、該延長部のばね弾発力により該先端折り返し部がプリント基板の電源供給用のランドに接触することを特徴とする請求項４に記載の携帯電話機。
【請求項７】
プリント基板の電源供給用のランドに接触するアンテナ給電用金具の延長部先端折り返し部の反対側にて、本体側にストッパが設けられ、該ストッパによりアンテナ給電用金具は前記ランドに確実に接触するようにされることを特徴とする請求項６に記載の携帯電話機。
【発明の詳細な説明】
【０００１】
【発明の属する技術分野】
本発明は携帯電話機の構造に関し、更に詳しくは、携帯電話機のアンテナに電源を供給する給電構造に関する。
携帯電話機は従来、業務用の使用を対象に高機能、小型、軽量化の開発競争を行ってきた。しかし、近年の携帯電話機の普及は幅広い年齢層に利用されるに至り、さらなる低価格化が望まれている。したがって、携帯電話機のアンテナ給電構造においても、製造工程を簡略化して、製品コストの低価格化を図る必要がある。
【０００２】
【従来の技術】
従来の携帯電話機の給電構造の一列として、図１に示すような構造のものがある。即ち、図１は従来の携帯電話機の一部を分解斜視図で示すもので、１は携帯電話機の筐体をなすモールドケース、２はホイップアンテナ、３はホイップアンテナをモールドケースに取付けるためのホルダ、４はプリント基板、５は給電用金具である。
【０００３】
この従来例では、ホイップアンテナ２を軸方向に伸縮自在に保持しているホルダ３をモールドケース１のアンテナ取付部１ａの孔に圧入してホルダ３をモールドケース１に対して固定する。一方、プリント基板４のホルダ３に対応する位置に板ばね状の給電用金具５を固定し、プリント基板４をモールドケース１の内部の所定位置に位置決めし且つ固定することにより、板ばね状の給電用金具５がホルダ３の外周３ａに接触するようにする。
【０００４】
詳細には図示していないが、給電用金具５はプリント基板４のアンテナ用電源回路に接続されており、この携帯電話機の本体の電源がＯＮとなっている時は同時にアンテナ用電源回路もＯＮの状態となっており、ホイップアンテナ２に電源に供給される。
図２に携帯電話機の給電構造の他の従来例を示す。図２において図１に示した部材と対応する部材を同一の符号で示す。図２（ａ）は分解斜視図、図２（ｂ）はホルダ及び給電用金具を示す断面図である。
【０００５】
この従来例では、ホイップアンテナ２を軸方向に伸縮自在に保持しているホルダ３をモールドケース１のアンテナ取付部１ａの孔に圧入してホルダ３をモールドケース１に対して固定する点は、図１の従来例と同様である。しかし、帯板状のばね材からなる給電用金具５は、一端がフック部５ａとなっていて、モールドケース１の底部にある固定リブ１ｂに引っかけられて固定されており、中間部５ｂが円筒状のホルダ３の周囲を底部から上部へ半周以上回って斜め上方に傾斜し、先端部５ｃは上方への突出している。
【０００６】
一方、モールドケース１のアンテナ取付部１ａの周囲は、このような形状の給電用金具５を受け入れるべく、切り欠き１ｃが設けられており、また、給電用金具５がプリント基板４のアンテナ電源供給用のランド部（図示せず）に接触するのを確実とするための突起１ｄがモールドケース１の底部から上方へ突出するように設けられている。
【０００７】
プリント基板４をモールドケース１の内部の所定位置に固定すると、給電用金具５の先端部５ｃがプリント基板３のアンテナ電源供給用のランド部（図示せず）に接触する。この時、給電用金具５の先端部５ｃはプリント基板３により下方に押圧されるが、突起１ｃが給電用金具５の先端部５ｃの一定以上の下降を阻止して給電用金具５とランド部との接触を確保する。
【０００８】
【発明が解決しようとする課題】
上述の従来例では、ホルダ３をモールドケース１に固定するのに、ホルダ３をモールドケース１のアンテナ取付部１ａの孔に圧入しなければならないが、このような圧入は、作業工数が増し且つ組み立て精度にバラツキが起こりやすいという問題がある。
【０００９】
また、圧入用のホルダ３に給電用金具５を取付ける際は、ホルダの形状に制限があり、給電用金具５の位置決め及び固定の構造を、モールドケース１の側に設けなければならなかった。そのため、モールドケース１の構造が複雑になり、且つ高価なものとなっていた。
更にまた、図１のようにプリント基板３に給電用金具５を取り付ける構造では、プリント基板３のホルダ３に対応する位置にこの給電用金具５を取りつけなければならず、プリント基板１上のアンテナへの電源供給のための所定の面積を必要とし、またその位置もホルダ３の位置によって制約を受け自由度がなく、プリント基板上の配線や部品の配置にも制約を受けるという問題があった。
【００１０】
そこで、本発明では、製造の際の作業工数が少なくて済み且つ組み立て精度にバラツキが起こりにくく、且つ安価に製造できて、プリント基板上のアンテナ給電スペースに自由度のある、アンテナ給電機構を持った携帯電話機の構造を得ることを課題とする。
【００１１】
【課題を解決するための手段】
上記の課題を達成するために、本発明によれば、携帯電話機の本体と、アンテナを該本体に固定するホルダと、該ホルダに装着される基部及び該基部から延びた延長部を有するアンテナ給電用金具とを具備し、該給電用金具を前記ホルダに装着した状態で前記延長部を本体側の給電部に弾発的に接触させ、該給電用金具及びホルダを介してアンテナに給電するように構成し、前記給電金具の基部はリング状で、該リング状基部が装着される前記ホルダの部分は円筒状で、該リング状基部とホルダの円筒状部分との間は、軸方向の設けた突条とこれに嵌合する凹部とで相互に回転を阻止するように構成したことを特徴とする、アンテナ給電構造を有する携帯電話機が提供される。これにより、携帯電話機のアンテナ給電部は、製造の際の作業工数が少なくて済み且つ組み立て精度にバラツキが起こりにくく、且つ安価に製造できる。
【００１２】
携帯電話機の本体は樹脂等の絶縁体で形成されたモールドケースから成り、該モールドケースはアンテナ取付穴を有し、前記ホルダは該アンテナ取付穴に回転を阻止するようにモールドケース内側から挿入し、前記アンテナは該アンテナ取付穴にモールドケース外側から挿入して前記ホルダにねじ止めすることにより、アンテナ及びホルダがモールドケースに固定されるように構成した。これにより、アンテナ及びホルダをモールドケースに対して簡単に且つ回転不能に確実に固定することができる。
【００１３】
モールドケースのアンテナ取付穴には軸方向の溝が設けられ、該取付穴に挿入されるホルダの部分にレールが設けられ、該レールが前記軸方向の溝に嵌合することにより、モールドケースに対するホルダの回転が阻止される。これにより、簡単な構造でアンテナ及びホルダをモールドケースに対して回転不能に確実に固定することができる。
【００１４】
アンテナ給電用金具は板ばね材で構成され、軸方向のスリットを有するリング状の基部と、該基部から任意の方向に斜め外側に延びた延長部を有し、該リング状の基部が前記スリットによりホルダに弾発的に装着される。これにより、アンテナ給電用金具をホルダに対して簡単に装着することができる。また、アンテナ給電用金具の延長部を任意の方向に延ばすことができるので、プリント基板上の任意のアンテナ給電部に対して対応可能で、スペース状の自由度が増すこととなる。
【００１５】
この場合において、リング状の基部が装着されるホルダの部分は円筒部と、少なくとも１つの軸方向の突条からなり、前記リング状の基部は該突条に嵌合する凹部を有し、ホルダに対する給電用金具の回転を阻止するように構成した。これにより、アンテナ給電用金具をホルダに対して簡単に且つ回転を阻止するように確実に装着することができる。
【００１６】
また、本体側の給電部は、該本体内部の所定位置に固定されたプリント基板の電源供給用のランドからなり、アンテナ給電用金具の延長部の先端には凸形の折り返し部が設けられ、該延長部のばね弾発力により該先端折り返し部がプリント基板の電源供給用のランドに接触することを特徴とする。これにより、アンテナ給電用金具とプリント基板の電源供給用のランドとの間の電気的な接触をより確実なものとし、接触抵抗を低減することができる。
【００１７】
プリント基板の電源供給用のランドに接触するアンテナ給電用金具の延長部先端折り返し部の反対側にて、本体側にストッパが設けられ、該ストッパによりアンテナ給電用金具は前記ランドに確実に接触するようにされる。これにより、アンテナ給電用金具とプリント基板の電源供給用のランドとの間の電気的な接触をより一層確実なものにできる。
【００１８】
【発明の実施の形態】
以下、添付図面を参照して本発明の実施の形態について詳細に説明する。
図３、図４及び図５は本発明の携帯電話機のアンテナ給電構造を示すものであって、図３は本発明の携帯電話機のアンテナ給電構造を示す分解斜視図、図４は同アンテナ給電構造の軸方向の断面図、図５は同アンテナ給電構造の正面図である。
【００１９】
これらの図において、１０は携帯電話機の筐体をなすモールドケース、２０はホイップアンテナ、３０はホイップアンテナをモールドケースに取付けるためのホルダ、４０はプリント基板、５０は給電用金具である。
モールドケース１０は樹脂等の絶縁性材料で成形されたもので、アンテナ取付部のホルダ挿入穴１１には、後述するホルダ３０の回転を阻止する軸方向の溝１２が少なくとも１個設けられている。また、ホルダ挿入穴１１が設けられるアンテナ取付部の外周側には、後述する給電用金具５０の移動を規制するための突起（ストッパー）１３が設けられている。
【００２０】
ホルダ３０は金属を略円筒形に形成したものであり、モールドケース１０のホルダ挿入穴１１に挿入される円筒部３１、この挿入円筒部３１の外周に設けた少なくとも１つのレール状の突起３２（図４）、この挿入円筒部３１に隣接する中央フランジ部３３、反対側の窪んだ円筒部３４、他端側の低いフランジ部３５、中央フランジ部３３から他端フランジ部３５まで延びる軸方向の突条３６を有する。
【００２１】
ホルダ３０の挿入円筒部３１をモールドケース１０のホルダ挿入穴１１に挿入した時、レール状の突起３２がホルダ挿入穴１１の軸方向の溝１２に嵌合し、ホルダ３０の回転を阻止する。
また、ホルダ３０の挿入円筒部３１の内側は内ねじ３７（図４）になっており、ホイップアンテナ２０をホルダ３０に取付ける時は、ホルダ３０をホルダ挿入穴１１に挿入した状態で、ホイップアンテナ２０のねじ軸部２１をホルダ３０の内ねじ３７にねじ込む。これにより、ホルダ３０のフランジ部３３がモールドケース１０のアンテナ取付部の端面に当接すると共に、ホイップアンテナ２０の段部２２（図４）がモールドケース１０のホルダ挿入穴１１の段部１４（図４）に当接する。
【００２２】
薄い板ばね材からなる給電用金具５０は、リング状の部分、即ち略円筒部５１、この円筒部５１に十分な融通性・可撓性を持たせるための軸方向のスリット部５２、略円筒部５１の一部で径の大きくなった凹部５３、この凹部５３から、任意の方向に、例えば図示のように軸方向に斜め外方に延びる延長部５４があり、給電部５４の先端部は外方へ突出してして先端折り返し部を形成し、この給電用金具５０を装着した際、この先端折り返し部がプリント基板４０のアンテナ給電用のランド部４１に接触し易くしている。このような形状の給電用金具５０は一枚の導電性の薄い板ばね材から打ち抜き加工、プレス等で容易に形成することができる。
【００２３】
給電用金具５０をホルダ３０に取付けるには、スリット部５２を利用して略円筒部５１の径をやや大きくし、略円筒部５１をフランジ部３５を乗り越えてホルダ３０の円筒部３４に嵌合させる。給電用金具５０はその円筒部の一部、即ち延長部５４のつけ根の部分のみ径が大きくなっており凹部５３を形成しているのでこの凹部５３がホルダ３０の軸方向の突条３６に嵌合して、ホルダ３０に対して給電用金具５０の回転を阻止する。また、自然の状態での給電用金具５０の略円筒部５１の径はホルダの円筒部３４の径より小さくなっており、給電用金具５０はそのばね復帰力によりホルダ３０に対して確りと保持される。
【００２４】
実際の組み付けにあたっては、まず、給電用金具５０がホルダ３０に取付けられ、次いで、ホルダ３０をモールドケース１０の内側からホルダ挿入穴１１に挿入し、最後にホイップアンテナ２０をモールドケース１０の外側からホルダ挿入穴１１に挿入して、ホイップアンテナ２０をホルダ３０に対してねじ込むことにより、ホイップアンテナ２０の装着が完了する。
【００２５】
このようにして、ホイップアンテナ２０の装着が完了し、プリント基板４０がモールドケース１０の内部の所定位置に固定されると、給電用金具５０の給電部５４の先端がプリント基板４０のアンテナ電源供給用のランド部４１に接触する。この時、給電用金具５０の給電部５４の先端はプリント基板４０により押圧されるが、給電部５４のプリント基板４０とは反対側には、モールドケース１０のアンテナ取付部に設けた突起１３があるので、給電部５４の先端部が確実にプリント基板４０のランド部４１（図４）に接触することとなり、接触抵抗を小さくすることができる。
【００２６】
なお、図には詳細には示していないが、ホイップアンテナ２０自体はホルダ３０に固定した状態で、伸縮自在となっており、携帯電話機の使用中に電波を受信しやすくするために、例えば、図４の破線２５で示すホイップアンテナ２０の部分をホルダ３０に対して上方へ引き出すことができる。なお、ホイップアンテナ２０の軸は、携帯電話機の本体に対して３°程度傾斜しており、ホイップアンテナ２０を引き出した時に耳等に当たるのを避けようにしてある。
【００２７】
以上、添付図面を参照して本発明の実施例について詳細に説明したが、本発明は上記の実施例に限定されるものではなく、本発明の精神ないし範囲内において種々の形態、変形、修正等が可能であることに留意すべきである。
【００２８】
【発明の効果】
以上に説明したような、本発明の携帯電話機のアンテナ給電構造によると、プリント基板４０上のアンテナ給電用のランド部４１の位置に合わせて、例えば給電用金具５０の給電部５４の向きを適宜選定する、ホルダ３０の突条３６の位置を変える、等により、プリント基板４０上の任意の位置からアンテナ用の給電を行うことができ、プリント基板４０のスペースに自由度を与えることができる。
【００２９】
モールドケース１０のホルダ取付部、ホルダ３０、給電用金具５０の製造、組立体も容易で、製造の際の作業工数が少なくて済み、且つ組み立てた際のアンテナ給電部に接触を確実なものとすことができて精度にバラツキが生じにくく、したがって安価で高性能のアンテナ給電機構を持った携帯電話機を得ることができる。
【図面の簡単な説明】
【図１】従来の携帯電話機の一部、即ちアンテナ給電構造を示す分解斜視図である。
【図２】携帯電話機の給電構造の他の従来例を示すもので、（Ａ）は分解斜視図、（Ｂ）はホルダ及び給電用金具を示す断面図である。
【図３】本発明の携帯電話機のアンテナ給電構造の実施形態の分解斜視図である。
【図４】同本発明の実施形態の軸方向の断面図である。
【図５】同本発明の実施形態の正面図である。
【符号の説明】
１０…モールドケース（本体）
１１…ホルダ取付穴
１２…軸方向の溝
１３…ストッパ
２０…ホイップアンテナ
２１…ねじ軸部
２２…段部
３０…ホルダ
３１…挿入円筒部
３２…レール状突起
３３…フランジ部
３４…円筒部
３５…フランジ部
３６…軸方向の突条
４０…プリント基板
４１…給電用ランド
５０…給電用金具
５１…リング状の部分
５２…スリット
５３…凹部
５４…延長部
【図１】
0003675641.tif 000002
【図２】
0003675641.tif 000003
【図３】
0003675641.tif 000004
【図４】
0003675641.tif 000005
【図５】
0003675641.tif 000006